(57)【要約】【課題】電池と該電池からの電力の供給を受けて所定の情報を記憶する記憶手段とを有するメモリ付き電池において、電池からの記憶手段への電力の供給を効率的に行う。【解決手段】記憶手段２２にカメラ本体１０が接続されたこと、および電池２１が充電器に接続されたことを接続状態検出手段３０により検出し、接続状態検出手段３０により上記接続が検出されていない間、記憶手段２２および制御手段２４に対する電力の供給を停止する。【選択図】　　　　　図２
2004146218.tif 000002
【特許請求の範囲】
【請求項１】
電池と、該電池から電力の供給を受けて所定の情報を記憶する記憶手段と、前記電池から電力の供給を受けて前記記憶手段を制御する制御手段とを備えたメモリ付電池において、
前記電池および前記記憶手段の少なくともいずれか一方に外部装置が接続されたことを検出する接続状態検出手段と、
該接続状態検出手段により前記接続が検出されていない間、前記記憶手段および／または前記制御手段に対する前記電力の供給を停止する手段とを有することを特徴とするメモリ付電池。
【請求項２】
前記電池の劣化量を検出する劣化量検出手段と、
前記劣化量検出手段により検出された劣化量が所定の閾値になったときに前記電池の劣化を警告する電池劣化警告手段とを有することを特徴とする請求項１記載のメモリ付電池。
【請求項３】
前記閾値が前記電池の所定の充電回数または所定の内部抵抗値であることを特徴とする請求項２記載のメモリ付電池。
【請求項４】
前記電池と該電池から電力の供給を受ける装置とを電気的に接続する電池端子部と、
前記電池と前記電池から電力の供給を受ける装置とが前記電池端子部を介して接続されたことを検出する電池接続検出手段と、
該電池接続検出手段により前記電池から電力の供給を受ける装置の接続が所定の回数検出されたときに前記電池端子部の劣化を警告する端子部劣化警告手段と有することを特徴とする請求項１から３いずれか１項記載のメモリ付電池。
【請求項５】
前記電池端子部が、交換可能なものであることを特徴とする請求項４記載のメモリ付電池。
【請求項６】
前記記憶手段と、該記憶手段への前記所定の情報の入力および／または前記記憶手段からの前記所定の情報の読出しを行う装置とが、無線通信を介して接続されていることを特徴とする請求項１から５いずれか１項記載のメモリ付電池。
【請求項７】
前記電池の種類に応じた終止電圧を記憶する終止電圧記憶手段と、
前記電池の種類を判別し、該電池の種類に応じた終止電圧を前記終止電圧記憶手段から出力する電池判別手段と、
前記電池の電圧が前記電池判別手段から出力された終止電圧になったときに警告を行う電池残量警告手段を有することを特徴とする請求項１から６いずれか１項記載のメモリ付電池。
【発明の詳細な説明】
【０００１】
【発明の属する技術分野】
本発明は、電池と所定の情報を記憶するメモリとを有するメモリ付き電池に関するものである。
【０００２】
【従来の技術】
従来より、たとえば、デジタルカメラなどに使用する電池として、電池とデジタルカメラのＣＣＤにより撮像された画像データを記憶するメモリとが一体化されたメモリ付き電池が提案されている（たとえば、特許文献１参照）。上記のようなメモリ付き電池は、デジタルカメラのカメラ本体に着脱可能となっており、メモリ付き電池のみをデジタルプリンタなどにセットしてメモリに記憶された画像データをプリントしたり、メモリ付き電池のみを充電器にセットして電池の充電を行うことができる。
【０００３】
ここで、上記のようなメモリ付き電池におけるメモリは、一体化された電池からの電力の供給を受けて動作する。
【０００４】
【特許文献１】
特開２００１−３３３３０６号公報
【０００５】
【発明が解決しようとする課題】
しかしながら、たとえば、デジタルカメラのカメラ本体に接続しているときには、カメラ本体により撮像された画像データの入出力が行なわれるためメモリを動作させておく必要があるが、カメラ本体から取り外し、メモリからの画像データの入出力を行なわない間はメモリを動作させる必要がない。したがって、このような時間にも電池からメモリに電力の供給をしたのでは、電池の消費を早め、無駄である。
【０００６】
また、上記電池の充電が切れた際には充電器により電池の充電を行うが、電池は充放電を繰り返し行うと劣化を生じる。したがって、ある程度劣化した電池は交換する必要があるが、電池の劣化の程度を知ることは困難である。
【０００７】
また、上記のようなデジタルカメラのカメラ本体がメモリ付き電池からの電力の供給を受ける際には、電池とカメラ本体とが電池端子部を介して電気的に接続されるが、メモリ付き電池のカメラ本体への着脱を繰り返し行うと電池端子部が摩擦により劣化を生じる。したがって、ある程度劣化した電池端子部は交換する必要があるが、従来は電池端子部とメモリ付き電池とが一体となっていたため電池端子部のみの交換が困難であった。
【０００８】
また、上記のようなデジタルカメラにおいては、カメラ本体とメモリ付き電池のメモリとで画像データのやりとりが行なわれるが、この画像データ通信を行うためにカメラ本体とメモリ付き電池とをコネクタなどにより物理的に接続したのでは、メモリ付き電池の着脱を繰り返し行うとコネクタ部分が破壊される可能性がある。
【０００９】
また、メモリ付き電池における電池残量が所定の閾値よりも少なくなった場合には、たとえば、カメラ本体において警告メッセージを表示したり、警告音を鳴らしたりする必要がある。したがって、従来は、電池の放電電圧を検出し、放電電圧が終止電圧に達したときに警告メッセージの表示などをするようにしていたが、メモリ付き電池における電池の種類は様々であり、図６に示すように、電池の種類によって電圧降下の仕方が異なるため終止電圧も電池の種類によって異なり（図６において、アルカリ電池の終止電圧は０．６Ｖ、ニッケル水素電池およびリチウム電池の終止電圧は０．９Ｖである。）、終止電圧を一律に定めたのでは電池残量がまだあるにもかかわらず警告メッセージの表示などをしてしまい、電池を最後まで使い切ることができない。
【００１０】
本発明は、上記のような事情に鑑み、電池と該電池からの電力の供給を受けて所定の情報を記憶する記憶手段とを有するメモリ付き電池において、電池からの記憶手段への電力の供給を効率的に行うことのできるメモリ付き電池を提供することを目的とするものである。
【００１１】
また、電池や電池端子部の劣化を知ることができ、電池や電池端子部のみを交換することができるメモリ付き電池を提供することを目的とするものである。
【００１２】
また、デジタルカメラにおけるカメラ本体とメモリ付き電池との間に設けられた画像データ通信のためのコネクタ部分などの破壊を招くことないメモリ付き電池を提供することを目的とするものである。
【００１３】
また、メモリ付き電池における電池の種類が異なっている場合においても電池残量が少ないことを適切に警告することができるメモリ付き電池を提供することを目的とするものである。
【００１４】
【課題を解決するための手段】
本発明のメモリ付き電池は、電池と、その電池から電力の供給を受けて所定の情報を記憶する記憶手段と、電池から電力の供給を受けて記憶手段を制御する制御手段とを備えたメモリ付電池において、電池および記憶手段の少なくともいずれか一方に外部装置が接続されたことを検出する接続状態検出手段と、接続状態検出手段により上記接続が検出されていない間、記憶手段および／または制御手段に対する電力の供給を停止する手段とを有することを特徴するものである。
【００１５】
ここで、上記「外部装置」としては、たとえば、ＣＣＤなどにより被写体を撮像して画像データを出力するデジタルカメラのカメラ本体など、記憶手段へ所定の情報の入力を行う装置や、デジタルプリンタなど、記憶手段からの所定の情報の読出しを行う装置や、上記電池を充電するための充電器などがある。
【００１６】
また、上記「接続状態検出手段」としては、たとえば、外部装置が接続されることにより押下されるスイッチなど物理的に接続を検出するものでもよいし、外部装置と電気的に接続されたことを検出するようなものでもよい。
【００１７】
また、上記メモリ付き電池においては、電池の劣化量を検出する劣化量検出手段と、劣化量検出手段により検出された劣化量が所定の閾値になったときに電池の劣化を警告する電池劣化警告手段とを有するものとすることができる。
【００１８】
ここで、上記「電池劣化警告手段」としては、たとえば、警告音を鳴らしたり、警告メッセージを表示したりするものがあるが、外部装置に警告音を鳴らさせたり、警告メッセージを表示させたりするための信号を出力するものも含むものとする。
【００１９】
また、閾値を電池の所定の充電回数または所定の内部抵抗値とすることができる。
【００２０】
また、電池とその電池から電力の供給を受ける装置とを電気的に接続する電池端子部と、電池と電池から電力の供給を受ける装置とが電池端子部を介して接続されたことを検出する電池接続検出手段と、電池接続検出手段により電池から電力の供給を受ける装置の接続が所定の回数検出されたときに電池端子部の劣化を警告をする端子部劣化警告手段と有するものとすることができる。
【００２１】
ここで、上記「電力の供給を受ける装置」としては、たとえば、上記カメラ本体などがある。
【００２２】
また、上記「端子部劣化警告手段」としては、たとえば、警告音を鳴らしたり、警告メッセージを表示したりするものがあるが、外部装置に警告音を鳴らさせたり、警告メッセージを表示させたりするための信号を出力するものも含むものとする。
【００２３】
また、電池端子部を、交換可能なものとすることができる。
【００２４】
ここで、上記「交換可能なものとする」とは、たとえば、電池端子部をカートリッジ式にすることをいうが、交換可能な構成であれば如何なる構成でもよい。
【００２５】
また、記憶手段と、記憶手段への所定の情報の入力および／または記憶手段からの所定の情報の読出しを行う装置とを、無線通信を介して接続するようにすることができる。
【００２６】
また、電池の種類に応じた終止電圧を記憶する終止電圧記憶手段と、電池の種類を判別し、電池の種類に応じた終止電圧を終止電圧記憶手段から出力する電池判別手段と、電池の電圧が電池判別手段から出力された終止電圧になったときに警告を行う電池残量警告手段を有するものとすることができる。
【００２７】
ここで、上記「電池残量警告手段」としては、たとえば、警告音を鳴らしたり、警告メッセージを表示したりするものがあるが、外部装置に警告音を鳴らさせたり、警告メッセージを表示させたりするための信号を出力するものも含むものとする。
【００２８】
また、上記「終止電圧」は、放電を終了する限度を示す電圧である。
【００２９】
【発明の効果】
本発明のメモリ付き電池によれば、電池および記憶手段の少なくともいずれか一方に外部装置が接続されたことを検出し、該接続が検出されていない間、記憶手段および／または制御手段に対する電力の供給を停止するようにしたので、たとえば、デジタルカメラのカメラ本体に接続されている間など記憶手段を動作させる必要がある時間や充電器に接続されている間など電池の消費を気にしなくてもよい時間を除き、記憶手段および／または制御手段への電力の供給が停止されるので、電池の無駄な消耗を回避し、電池を効率的に使用することができる。
【００３０】
また、上記メモリ付き電池において、電池の劣化量を検出し、その検出された劣化量が所定の閾値になったときに電池の劣化を警告するようにした場合には、適切に電池の劣化を知ることができ、劣化した電池の交換を行うことができる。
【００３１】
また、上記閾値を電池の所定の充電回数または所定の内部抵抗値とした場合には、簡易な構成により電池の劣化を検出することができる。
【００３２】
また、電池と電池から電力の供給を受ける装置とが電池端子部を介して接続されたことを検出し、その接続が所定の回数検出されたときに電池端子部の劣化を警告をするようにした場合には、適切に電池端子部の劣化を知ることができる。
【００３３】
また、電池端子部を、交換可能なものとした場合には、劣化した電池端子部を容易に交換することができる。
【００３４】
また、記憶手段と、記憶手段への所定の情報の入力および／または記憶手段からの所定の情報の読出しを行う装置とを、無線通信を介して接続するようにした場合には、上記装置に対して着脱を繰り返すことによるコネクタ部の破壊などを回避することができる。
【００３５】
また、電池の種類に応じた終止電圧を記憶し、電池の電圧がその電池の種類に応じた終止電圧になったときに警告を行うようにした場合には、電池の種類が異なっている場合においても電池残量が少ないことを適切に警告することができる。
【００３６】
【発明の実施の形態】
以下、図面を参照して本発明のメモリ付き電池の一実施形態について説明する。図１は本実施形態のメモリ付き電池を利用したデジタルカメラ１の概略構成図である。
【００３７】
本デジタルカメラ１は、図１に示すように、被写体の画像をＣＣＤにより撮像し、該撮像された画像データを出力するカメラ本体１０と、カメラ本体１０に電力を供給するとともに、カメラ本体１０から出力された画像データを記憶するメモリ付き電池２０とから構成されている。
【００３８】
メモリ付き電池２０は、図２に示すように、電池２１、電池２１から電力の供給を受けて所定の情報を記憶する記憶手段２２、電池２１から電力の供給を受けて記憶手段２２の動作を制御する制御手段２４、電池２１の端子電圧を所定の電圧に電圧変換して記憶手段２２と制御手段２４とに電圧を印加する電源回路部２６、デジタルカメラ１から出力された画像データを赤外線画像データとして送受信する電池側送受信部２８、カメラ本体１０が接続されたことを検出する接続状態検出手段３０、接続状態検出手段３０によりカメラ本体１０の接続が検出されていない間、記憶手段２２と制御手段２４への電源回路部２６からの電源電圧の供給を停止する電力停止手段３２、電池２１とカメラ本体１０とを電気的に接続する電池端子部３４、電池２１を取り出すことができるように開閉可能な蓋３６、およびメモリ付き電池１をカメラ本体に固定するための凸部３８を備えている。
【００３９】
カメラ本体１は、メモリ付き電池２０の電池端子部３４に電気的に接続される端子１１、カメラ本体１０により撮像された画像データを赤外線画像データとして送受信するカメラ側送受信部１２、メモリ付き電池２０における凸部３８を受けてメモリ付き電池２０をカメラ本体１０に固定する凹部１３、被写体の光学像をＣＣＤに結像するレンズ部１４、ストロボ部１５、調光センサ１６、およびレリーススイッチ１７を備えている。
【００４０】
次に、本実施形態のメモリ付き電池を利用したデジタルカメラ１の作用について説明する。
【００４１】
まず、デジタルカメラ１による被写体の撮影の際には、カメラ本体１０にメモリ付き電池２０が接続される。このときカメラ本体１０における凹部１３にメモリ付き電池２０の凸部３８が嵌合するように接続され、固定される。そして、カメラ本体１０がメモリ付き電池２０に接続されたことは、接続状態検出手段３０が矢印ａ方向に押し込まれることにより検出される。この接続情報は制御手段２４に出力されて接続回数がカウントされ、その接続回数が記憶手段２２の接続回数記憶領域２２ａに記憶される。
【００４２】
上記のようにしてカメラ本体１０にメモリ付き電池２０が接続されると、電池端子部３４およびカメラ本体の端子１１を介して電池２１からカメラ本体１０に電力が供給される。また、接続状態検出手段３０から出力された上記接続情報は電力停止手段３２ににも出力され、電力停止手段３２は接続情報に応じてそれまで停止していた記憶手段２２および制御手段２４への電力の供給を開始する。
【００４３】
そして、上記のような状態でカメラ本体１０において撮影された画像データは、カメラ本体１０内において赤外線画像データに変換され、カメラ側送受信部１２から電池側送受信部２８に出力される。電池側送受信部２８に受信された赤外線画像データは記憶手段２２の画像データ記憶領域２２ｂに記憶される。この画像データ記憶領域２２ｂに記憶された画像データを、再び電池側送受信部２８から出力し、カメラ本体１０において受信し、カメラ本体１０におけるモニタ（図示省略）などに画像データに基づく画像を表示するようにしてもよい。上記のように記憶手段２２と、カメラ本体１０とを無線通信を介して接続するようにした場合には、カメラ本体１０に対して着脱を繰り返すことによるコネクタ部の破壊などを回避することができる。
【００４４】
次に、被写体の撮影が終了後、メモリ付き電池２１はカメラ本体から取り外される。このとき、接続状態検出手段３０は再び元の位置に戻る。そして、このメモリ付き電池がカメラ本体１０から取り外されたことの情報は電力停止手段３２に出力され、電力停止手段３２は電源回路部２６からの記憶手段２２および制御手段２４への電力の供給を停止する。
【００４５】
そして、カメラ本体１０から取り外されたメモリ付き電池２０は電池２１に充電するために充電器に接続されるが、このとき充電器への接続も接続状態検出手段３０により検出され、電力停止手段３２により記憶手段２２および制御手段２４への電力の停止が解除される。
【００４６】
上記実施形態のメモリ付き電池によれば、記憶手段２２にカメラ本体１０が接続されたこと、および電池２１が充電器に接続されたことを検出し、該接続が検出されていない間、記憶手段２２および制御手段２４に対する電力の供給を停止するようにしたので、記憶手段２２を動作させる必要がある時間や充電器に接続されている間など電池の消費を気にしなくてもよい時間を除き、記憶手段２２および制御手段２４への電力の供給が停止されるので、電池の無駄な消耗を回避し、電池を効率的に使用することができる。
【００４７】
そして、次にデジタルカメラ１による被写体の撮影を行う際には、再びカメラ本体１０にメモリ付き電池２０が接続され、カメラ本体１０がメモリ付き電池２０に接続されたことが、接続状態検出手段３０が矢印ａ方向に押し込まれることにより検出され、この接続情報が制御手段２４に出力されて接続回数がカウントされ、その接続回数が再び記憶手段２２の接続回数記憶領域２２ａに記憶される。そして、上記のようにして記憶されたメモリ付き電池２０のカメラ本体１０への接続回数が所定の回数以上、たとえば、５０００回以上になったとき、これが端子部劣化警告手段４０に検出され、端子部劣化警告手段４０は電池端子部３４の劣化を示す警告信号を電池側送受信部２８に出力する。この電池端子部３４の劣化を示す警告信号は、次にメモリ付き電池２０がカメラ本体１０に接続された際に電池側送受信部２８からカメラ側送受信部１２に出力され、カメラ本体１０のモニタに電池端子部３４の交換を示すメッセージを表示させたり、警告音を鳴らさせたりする。また、上記電池端子部３４の劣化を示す警告信号に応じてＬＥＤなどの発光素子を発光させるようにしてもよい。また、メモリ付き電池１０において上記電池端子部３４の劣化を示す警告信号に応じて警告メッセージを表示させたり、警告音を鳴らさせたり、ＬＥＤなどを発光させたりしてもよい。そして、本実施の形態のメモリ付き電池２０の電池端子部３４は、上記のように電池端子部３４の劣化のメッセージの表示などが行なわれた際に電池端子部３４のみを交換することができるようにカートリッジ式となっている。なお、電池端子部３４は交換可能な構成であれば如何なる構成でもよい。
【００４８】
上記のように、電池２１とカメラ本体１０とが電池端子部３４を介して接続されたことを検出し、その接続が所定の回数検出されたときに電池端子部３４の劣化を警告をするようにした場合には、適切に電池端子部３４の劣化を知ることができ、また、電池端子部３４を、交換可能なものとした場合には、劣化した電池端子部を容易に交換することができる。
【００４９】
次に、メモリ付き電池２０が充電器に接続され、電池２１への充電が開始されると、充電回数検出手段（図示省略）により充電開始情報が検出され、充電回数としてカウントされ、その充電回数は記憶手段２２における充電回数記憶領域２２ｃに記憶される。そして、この充電回数記憶領域２２ｃに記憶された充電回数が所定の回数以上、たとえば、５００回以上になったとき、このことが電池劣化警告手段４２により検出され、電池劣化警告手段４２は電池２１の劣化を示す警告信号を出力する。この電池２１の劣化を示す警告信号は、次にメモリ付き電池２０がカメラ本体１０に接続された際に電池側送受信部２８からカメラ側送受信部１２に出力され、カメラ本体１０のモニタに電池の劣化を示すメッセージを表示させたり、警告音を鳴らさせたりする。また、上記電池２１の劣化を示す警告信号に応じてＬＥＤなどの発光素子を発光させるようにしてもよい。また、メモリ付き電池１０において上記電池２１の劣化を示す警告信号に応じてメッセージを表示させたり、警告音を鳴らさせたり、ＬＥＤなどを発光させたりしてもよい。
【００５０】
上記のように電池の充電回数を検出し、その充電回数が所定の閾値になったときに電池の劣化を警告するようにした場合には、適切に電池の劣化を知ることができ、電池２１の交換を行うことができる。
【００５１】
本実施の形態のメモリ付き電池２０には、上記のように電池２１の劣化のメッセージの表示などが行なわれた際に電池２１を交換することができるように開閉可能な蓋３６が設けられている。蓋３６は図２に示すように矢印ｂ方向に開閉可能なものである。蓋３２を開閉可能とする構成は、開閉可能で電池２１が取り出せる構成であれば如何なる構成でもよい。
【００５２】
また、上記実施形態において、メモリ付き電池２０の記憶手段２２に電池の種類に応じた終止電圧を記憶する終止電圧記憶領域を設けて上記終止電圧を記憶しておき、電池の種類を判別して電池の種類に応じた終止電圧を上記終止電圧記憶領域から読み出して出力する電池判別手段と、電池２１の電圧が電池判別手段から出力された終止電圧になったときに警告信号を出力する電池残量警告手段とを設けるようにしてもよい。電池の種類としては、たとえば、リチウム電池、ニッケル水素電池、アルカリ乾電池などがある。電池残量警告手段から出力された警告信号は、カメラ本体１０に出力され、カメラ本体１０のモニタに電池残量がなくなったことを示すメッセージを表示させる。また、上記電池残量警告手段から出力された警告信号に応じて警告音を鳴らさせたり、ＬＥＤなどの発光素子を発光させるようにしてもよい。また、メモリ付き電池１０において電池残量警告手段から出力された警告信号に応じてメッセージを表示させたり、警告音を鳴らさせたり、ＬＥＤなどを発光させたりしてもよい。また、電池判別手段により１次電池か２次電池かを判別し、２次電池と判別されたときにだけ充電されるように制御するようにしてもよい。上記電池の種類の判別の仕方については、たとえば、電池の形状などを物理的に検出して電池の種類を判別するようにしてもよいし、電池に種類判別用のバーコードなどを設け、これを読取ることにより電池の種類を判別するようにしてもよい。
【００５３】
上記のように電池２１の種類に応じた終止電圧を記憶し、電池２１の電圧がその電池２１の種類に応じた終止電圧になったときに警告を行うようにした場合には、電池２１の種類が異なっている場合においても電池残量が少ないことを適切に警告することができる。
【００５４】
また、上記実施形態では、電池劣化警告手段４２は、記憶手段２２に記憶された充電回数の基づいて電池２１の劣化を警告するようにしたが、図３に示すように、劣化した電池ほど（電池容量は電池の劣化にともなって減少する。）電池の内部抵抗値が大きくなるので、電池２１の内部抵抗値を検出し、この内部抵抗値が所定の値以上になったときに電池２１の劣化を警告するようにしてもよい。なお、図３において、以下に電池２１の内部抵抗値の検出方法を具体的に示す。
【００５５】
まず、図４に示すように、充電器の充電器制御回路およびメモリ付き電池２０に電池２１の＋端子、−端子の他にサーミスタ端子Ｔを、メモリ付き電池２０にサーミスタＲ２を設ける。そして、充電器にメモリ付き電池２０が接続されると、図４に示すように、電池２１の端子電圧が所定の値まで上がった後（矢印５０）、サーミスタＲ２の電圧も上昇する（矢印５１，５１’）。そして、ここで充電を開始すると図４に示すように電池の端子電圧が上昇する（矢印５２，５２’）。この電圧上昇は電池２１の図４（ａ）、図４（ｂ）に示すように、電池が劣化している方が大きい。そして、電池が劣化している場合にはこの電圧上昇が大きいため電池２１の温度が上昇し、この温度に応じてサーミスタＲ２の抵抗値が減少し、サーミスタＲ２の電圧は減少する（矢印５３’）。上記のような動作を利用し、充電を開始したときにサーミスタＲ２の電圧が下がらなかった場合（矢印５３）には、電池は劣化していないものとし、劣化フラグはたてず（矢印５４）、サーミスタの電圧が下がった場合には、これを電池劣化警告手段が検出し、劣化フラグを立てる（矢印５４’）。この劣化フラグが立った場合に、電池劣化警告手段は、電池２１の劣化を示す警告信号を充電器に出力し、充電器に設けられたＬＥＤなどの発光素子を発光させたり、ＬＣＤなどによりメッセージを表示させたり、警告音を鳴らさせたりする。また、メモリ付き電池１０において上記電池２１の劣化を警告する信号に応じてメッセージを表示させたり、警告音を鳴らさせたり、ＬＥＤなどを発光させたりしてもよい。また、内部抵抗値の検出の仕方は上記のような方法に限らず、如何なる方法を採用してもよい。
【００５６】
また、上記実施形態では、デジタルカメラに本発明のメモリ付き電池の一実施形態を利用したものを説明したが、本発明のメモリ付き電池を携帯電話などに利用してもよい。
【図面の簡単な説明】
【図１】本発明のメモリ付き電池の一実施形態を利用したデジタルカメラの概略構成図
【図２】本発明のメモリ付き電池の概略構成図
【図３】電池容量と電池の内部抵抗値との関係を示す図
【図４】内部抵抗値の検出の仕方を説明する図
【図５】内部抵抗値を検出するための回路構成を示す図
【図６】各種電池の放電電圧の特性を示す図
【符号の説明】
１　　デジタルカメラ
１０　　カメラ本体
１１　　端子
１２　　カメラ側送受信部
１３　　凹部
１４　　レンズ部
１５　　ストロボ
１６　　調光センサ
１７　　レリーススイッチ
２０　　メモリ付き電池
２１　　電池
２２　　記憶手段
２４　　制御手段
２６　　電源回路部
２８　　電池側送受信部
３０　　接続状態検出手段
３２　　電力停止手段
３４　　電池端子部
３６　　蓋
３８　　凸部
４０　　端子部劣化警告手段
４２　　電池劣化警告手段
【図１】
2004146218.tif 000003
【図２】
2004146218.tif 000004
【図３】
2004146218.tif 000005
【図４】
2004146218.tif 000006
【図５】
2004146218.tif 000007
【図６】
2004146218.tif 000008